(57)【特許請求の範囲】
【請求項１】
固定側メンバーと、固定側メンバーに摺動自在に保持された中間メンバーと、中間メンバーに摺動自在に保持された移動側メンバーと、中間メンバーが固定側メンバーに対し最大引き出され、かつ、移動側メンバーが中間メンバーに対し所定距離引き出された状態で、中間メンバーを固定側メンバーにロック状態となすロック部材が中間メンバーに設けられたスライドレールにおいて、ロック部材は、中間メンバーの基板の後端部に前端部が回動自在に連結される、移動側メンバーの上下折曲縁間よりやや小さめの上下幅を有する取付脚部と、取付脚部の後端部に移動側メンバー方向に突出して移動側メンバーが中間メンバーに収納された時、移動側メンバーの基板の後端面が当接し、移動側メンバーと共に中間メンバーを固定側メンバーの収納方向に移動させる移動規制突部と、固定側メンバーの基板に形成されたストッパー部よりやや大きい目の通過用間隙を有し、移動規制突部の裏面側で固定側メンバーの基板方向に突出する上下２つのストッパー当接部と、移動側メンバーの後端部に形成された被保持部を保持する保持部が合成樹脂材にて一体に形成され、中間メンバーに移動側メンバーが収納された状態で、移動側メンバーの下折曲縁がロック部材の取付脚部の下面を上方に押しやって、通過用間隙をストッパー部の前側に位置せしめる事で、中間メンバーのロック状態を解除する事を特徴とするスライドレール。
【請求項２】
被保持部は、移動側メンバーの上下折曲縁の後端部に形成された嵌合孔よりなり、保持部は嵌合孔に嵌合する嵌合突部より構成されている事を特徴とする請求項１に記載のスライドレール。
【請求項３】
被保持部は、移動側メンバーの基板の後端部に形成され、移動側メンバーが中間メンバーに収納された時、移動規制突部に当接するストッパー凹部よりなり、保持部は、ストッパー凹部と逆向きの弓形に移動側メンバーの基板側に突出せしめた弾性係合部より構成されている事を特徴とする請求項１に記載のスライドレール。
【発明の詳細な説明】
【０００１】
【発明の属する技術分野】
本発明は、電子機器類等に取り付けられ。機器類が枠体から引き出されたり、あるいは、収納される際、所定の順序に従って各部が摺動し、機器類の荷重が定められた状態で負荷され、スムーズな摺動が維持されるスライドレールに関するものである。
【０００２】
【従来の技術】
この種のスライドレールの従来例として、実開平５−３２８２９号公報に記載したものが知られている。このスライドレールは、第１レールに対し第２レールが前後進スライド自在に支持され、第２レールに対し第３レールが前後進スライド自在に支持され、第２レールの後端部には第３レールの後端が当たることで第３レールの後進を阻止するストッパ部が設けられ、また第２レールの後端部には回動自在なロックレバーが設けられたスライドレール装置において、上記ロックレバーは、第１レールの前端側に形成された被係止部に係脱自在な係止部と、後進する第３レールの後端部が当たることで上記被係止部と係止部の係合を解除する係合解除案内部と、係合解除の状態で第３レールを前進させようとしたときに第３レールの後端があたることで第３レールの前進を阻止しかつ上記ロックレバーを係合方向にまわす力を発生するストッパー兼案内部とを有するものであった。
【０００５】
【発明が解決しようとする課題】
本発明は、簡単な構造で、ロックレバーの係止部と第１レールの被係止部の係脱が確実に行え、機器類の荷重が負荷されている個所のメンバーが常に順序よく移動する事、すなわち、機器類が引き出されると、まず、中間メンバーが移動側メンバーを収納した状態で摺動して、固定側メンバーに対し最大伸長状態となり、次に、中間メンバーに対し移動側メンバーが摺動して最大伸長状態となり、収納する時は、移動側メンバーが中間メンバーに収納されたのち、中間メンバーが移動側メンバーを収納した状態で固定側メンバーに順次収納されるスライドレールを提供する事を目的とする。
【０００６】
【課題を解決する為の手段】
そこで、上記課題を解決する為、本発明の第１の手段として構成したところは、固定側メンバーと、固定側メンバーに摺動自在に保持された中間メンバーと、中間メンバーに摺動自在に保持された移動側メンバーと、中間メンバーが固定側メンバーに対し最大引き出され、かつ、移動側メンバーが中間メンバーに対し所定距離引き出された状態で、中間メンバーを固定側メンバーにロック状態となすロック部材が中間メンバーに設けられたスライドレールにおいて、ロック部材は、中間メンバーの基板の後端部に前端部が回動自在に連結される、移動側メンバーの上下折曲縁間よりやや小さめの上下幅を有する取付脚部と、取付脚部の後端部に移動側メンバー方向に突出して移動側メンバーが中間メンバーに収納された時、移動側メンバーの基板の後端面が当接し、移動側メンバーと共に中間メンバーを固定側メンバーの収納方向に移動させる移動規制突部と、固定側メンバーの基板に形成されたストッパー部よりやや大きい目の通過用間隙を有し、移動規制突部の裏面側で固定側メンバーの基板方向に突出する上下２つのストッパー当接部と、移動側メンバーの後端部に形成された被保持部を保持する保持部が合成樹脂材にて一体に形成され、中間メンバーに移動側メンバーが収納された状態で、移動側メンバーの下折曲縁がロック部材の取付脚部の下面を上方に押しやって、通過用間隙をストッパー部の前側に位置せしめる事で、中間メンバーのロック状態を解除するものである。
【０００７】
次に、本発明が第２の手段として構成したところは、第1の手段としての構成に加え、被保持部は、移動側メンバーの上下折曲縁の後端部に形成された嵌合孔よりなり、保持部は嵌合孔に嵌合する嵌合突部より構成されているものである。
【０００８】
次に、本発明が第３の手段として構成したところは、第１の手段として構成したところに加え、被保持部は、移動側メンバーの基板の後端部に形成され、移動側メンバーが中間メンバーに収納された時、移動規制突部に当接するストッパー凹部よりなり、保持部は、ストッパー凹部と逆向きの弓形に移動側メンバーの基板側に突出せしめた弾性係合部より構成されているものである。
【００１２】
【実施例】
以下、第１実施例を図面に基づいて説明する。
図１〜図３において、符号１００は第１実施例のスライドレールを示し、スライドレール１００は、第１〜第３実施例とも、固定側メンバー１と、固定側メンバー１に摺動自在に保持された中間メンバー２と、中間メンバー２にボールリテーナー４に回転自在に保持されたボール４４・・・を介して摺動自在に保持された移動側メンバー３より構成されている。
【００１３】
すなわち、固定側メンバー１は、基板１０と、上下折曲縁１１、１１よりチャンネル型に形成され、固定側メンバー１のほぼ半分程度の長さとなした合成樹脂製のリテーナー１２・・・に回転自在に保持され、かつ、上下折曲縁１１、１１内面と中間メンバー２の外面間に位置する複数個のボール１３・・・を介して、中間メンバー２を摺動自在に保持している。
そして、固定側メンバー１の基板１０の後端部には、中間メンバー２の収納時ストッパー１５が形成され、基板１０の前端部には前記リテーナー１２の引出し方向への移動範囲を規制するリテーナ前ストッパー１６が形成され、基板１０の中間部には中間メンバーの基板２０方向に突出するストッパー部１９が形成されている。
【００１４】
中間メンバー２は、固定側メンバー１とほぼ同長で、基板２０と上下折曲縁２１、２１より固定側メンバー１と同方向の略チャンネル型に形成され、上下折曲縁２１、２１の外面に、摺動方向に渡って前記ボール１３・・・が転動する外面側ボール摺動溝２２、２２を有し、上下折曲縁２１、２１の内面に、摺動方向に渡ってボール４４・・・が転動するボール摺動溝２３、２３を有している。そして、上下折曲縁２１、２１の後端部には、中間メンバー２の最大引出し時に、前端部が前記固定側メンバー１のリテーナ前ストッパー１６に当接したリテーナー１２の後端に当接して、中間メンバー２の最大引出し量を規制するリテーナ後ストッパー２５、２５が形成され、基板２０の後部所定位置に、移動側メンバー３が最大収納状態となった時、ボールリテーナー４の後端部が当接するボールリテーナ後端ストッパー（図示せず。）が形成され、基板２０の後端部には前記固定側メンバー１のストッパー部１９に対応して後端部が基板２０の後端部外方に突出してロック部材９が取付られ、基板２０前端部には案内部材５が設けられている。
【００１５】
移動側メンバー３は、固定側メンバー１とほぼ同長に形成され、ボールリテーナー４に保持されたボール４４・・・を介して摺動自在な大きさで、金属製の細条板の短手両端部を外向き円弧状に折り曲げて形成された、外面長手方向にボール４４・・の摺動面３３、３３を有する上下折曲縁３１、３１と基板３０より断面略Ｃ字型に形成されている。
そして、基板３０の後端部にはストッパー凹部３５が形成されると共に、内面所定位置に抜け止めストッパー部材（図示せず。）が設けられ、中間メンバー２に対し、引出し方向に摺動し、最大引出し位置に達した状態で、抜け止めストッパー部材が前記案内部材５の一部に係合して停止し、その後、拭け止めストッパー部材のストッパー状態を解除する事で、中間メンバー２より抜き出し可能、あるいは、装着可能となっている。
【００１６】
ボールリテーナー４は、帯状金属板にて中間メンバー２の半分程度の長さとし、前記中間メンバー２と移動側メンバー３の基板２０、３０間に挿入可能な大きさのコ字形基板４０と、コ字形基板４０の両端部よりＬ字形に突出し、中間メンバー２と移動側メンバー３の各上下折曲縁２１、２１、３１、３１間に位置する上下突出縁４１、４１より断面略コ字形に形成され、上下突出縁４１、４１の摺動方向に複数個のボール４４・・・を回転自在に保持している。
そして、移動側メンバー３が最大引出し位置に達した状態で、前記案内部材５に前端部が当接し、移動側メンバー３が中間メンバー２より前方に引き出された状態で、案内部材５に保持される。
【００１７】
案内部材５は、中間メンバー２の基板２０の前端部に位置する取付基板と、中間メンバー２の上下のボール摺動溝２３、２３、と移動側メンバー３のボール４４の摺動面３３、３３間に位置する案内突部と、取付基板の後端部に位置するリテーナー保持部と、前記抜け止めストッパー部材が係合する係合突部等より、合成樹脂材にて一体に形成されている。
【００１８】
第１実施例のロック部材９は、図３に示すように、中間メンバー２の基板２０の後端部で移動側メンバー３の基板３０側に回動自在に取り付ける為の取付孔９０が先端部に形成され、上下折曲縁３１、３１間よりやや小さめの上下幅を有し、上下端部に移動側メンバー３の基板３０方向に突出する上下案内突条９１０、９１０を有する取付脚部９１と、移動側メンバー３が中間メンバー２に収納された時、取付脚部９１の後端部に移動側メンバー３方向に突出して、移動側メンバー３のストッパー凹部３５の後端面が当接し、移動側メンバー３と共に、中間メンバー２を固定側メンバー１の収納方向に移動させる、弾性用間隙９２１にて上下に 2つ割に形成された移動規制突部９２と、移動規制突部９２の裏面側（固定側メンバー１の基板１０側）で、ストッパー部１９よりやや大きい目の通過用間隙９３１を有して、固定側メンバー１の基板１０方向に突出する上下２つのストッパー当接部９３、９３と、ストッパ当接部９３、９３の固定側メンバー１の上下折曲縁１１、１１方向に突出して、移動側メンバー３の上下折曲縁３１、３１の外方から、移動側メンバー３の折曲縁３１、３１の後端部に形成された被保持部７を保持する保持部９４、９４が、合成樹脂材にて一体に形成されている。
【００１９】
尚、第１実施例の被保持部７、７は移動側メンバー３の上下折曲縁３１、３１の後端部に嵌合孔を形成することにより構成され、第１実施例の保持部９４、９４は嵌合孔（被保持部７、７）に嵌合する内向きに突出する嵌合突部を形成する事により構成されている。  嵌合突部（保持部）９４、９４は、弾性用間隙９２１にて上下方向に適度に変移可能となし、先端部に案内傾斜面９４１が形成されている。
【００２０】
第１実施例は、上記の如く構成され、移動側メンバー３と中間メンバー２が固定側メンバー１に完全に収納された状態から（図６、図７、図８に示す状態）、機器類を引き出すと（移動側メンバー３を前方に摺動させると）、移動側メンバー３の被保持部（嵌合孔）７、７はロック部材９の保持部（嵌合突部）９４、９４に保持されているので、中間メンバー２も移動側メンバー３と共に摺動し、やがて、ロック部材９の通過用間隙９３１がストッパー部１９を通過する。同時に、中間メンバー２の上下折曲縁２１、２１の後端部に形成されたリテーナ後ストッパー２５、２５が、固定側メンバー１のリテーナ前ストッパー１６に当接したリテーナー１２の後端に当接して、中間メンバー２は固定側メンバー１に対し最大伸長状態となって停止する。
【００２１】
次に、なおも機器類を引き出すと（移動側メンバー３を前方に摺動させると）、移動側メンバー３の被保持部（嵌合孔）７、７が、ロック部材９の保持部（嵌合突部）９４、９４を、弾性用間隙９２１の作用にて外方に押しやりつつ前方に摺動し、移動側メンバー３に対するロック部材９の保持状態が解除される。  そして、移動側メンバー３の下折曲縁３１の後端縁（ロック解除部３１１）がロック部材９の前側に位置すると、ロック部材９は自重によって、後端部が下方に回動し、上側のストッパー当接部９３がストッパー部１９の前側に位置し、下側のストッパー当接部９３の下端が中間メンバー２のリテーナ後ストッパー２５の一部に当接してロック部材９の回動は停止する。
この状態で、中間メンバー２の後端部に設けられたロック部材９が、固定側メンバー１のストッパー部１９に当接し、リテーナ後ストッパー２５、２５の前端部が、固定側メンバー１のリテーナ前ストッパー１６に当接したリテーナー１２の後端に当接しているので、中間メンバー２は単独では摺動する事がなく、固定側メンバー１に対する最大伸長状態が維持される。（図４に示す状態。）
【００２２】
さらに、移動側メンバー３が前方に摺動すると、移動側メンバー３に設けられた抜け止めストッパー部材が、前記案内部材５の係合突部に係合して停止し、中間メンバー２に対し最大伸長状態となり、移動側メンバー３、及び中間メンバー２は最も引き出された状態が維持され、不測に摺動する事がない。  そして、抜け止めストッパー部材のストッパー状態を解除する事で、移動側メンバー３は中間メンバー２より抜き出し可能、あるいは、収納方向に摺動可能となる。
【００２３】
次に、抜け止めストッパー部材のストッパー状態を解除し、移動側メンバー３を中間メンバー２に対し、収納方向に摺動させていくと、中間メンバー２に移動側メンバー３がほぼ収納された状態で、移動側メンバー３の下折曲縁３１の後端縁（ロック解除部）３１１が、ロック部材９の取付脚部９１および下案内突条９１０の下面を上方に押しやって、ストッパー当接部９３を上方に移動させ、ロック部材９の通過用間隙９３１をストッパー部１９の前側に位置せしめる事で、中間メンバー２のロック状態を解除する。（図５に示す状態。）  この時、移動側メンバー３の摺動スピードに勢いがある場合は、ほぼ同時に、移動側メンバー３の被保持部（嵌合孔）７がロック部材９の保持部（嵌合突部）９４に嵌合し、さらに、ストッパー凹部３５の後端面がロック部材９の移動規制突部９２に当接して、中間メンバー２を共に摺動させ、固定側メンバー１に中間メンバーを収納させる。（図６に示す状態。）
【００２４】
一方、機器類が緩やかに収納されると（移動側メンバー３が緩やかに摺動すると）、移動側メンバー３の下折曲縁３１の後端縁が、ロック部材９の取付脚部９１の下面を上方に押しやって、ストッパー当接部９３を上方に移動させ、ロック部材９の通過用間隙９３１をストッパー部１９の前側に位置せしめる事で、中間メンバー２のロック状態を解除した状態（図５に示す状態）で、中間メンバー２は移動側メンバー３と共に、ロック部材９の通過用間隙９３１がストッパー部１９を通過して、固定側メンバー１に収納され、やがて、ロック部材９の後端面が固定側メンバー１の収納時ストッパー１５に当接し、中間メンバー２の摺動は停止し、次に、移動側メンバー３の被保持部（嵌合孔）７がロック部材９の保持部（嵌合突部）９４に嵌合し、同時に、移動側メンバー３のストッパー凹部３５の後端面がロック部材９の移動規制突部９２に当接すると共に、上下折曲縁３１、３１の後端面が固定側メンバー１の収納時ストッパー１５に当接して停止し、移動側メンバー３は中間メンバー２に収納され、中間メンバー２は固定側メンバー１に収納される。（図６、図７、図８に示す状態）
【００２５】
次に、第２実施例を図９から図１１に基づいて説明する。  第２実施例のロック部材９は、図９に示すように、中間メンバー２の基板２０の後端部で移動側メンバー３の基板３０側に回動自在に取り付ける為の取付孔９０が先端部に形成された、上下折曲縁３１、３１間よりやや小さめの上下幅を有し、上下端部に移動側メンバー３の基板３０方向に突出する上下案内突条９１０、９１０を有する取付脚部９１と、移動側メンバー３が中間メンバー２に収納された時、取付脚部９１の後端部に移動側メンバー３の基板３０方向に突出して、移動側メンバー３のストッパー凹部３５の後端面が当接し、移動側メンバー３と共に、中間メンバー２を固定側メンバー１の収納方向に移動させる、弾性用間隙９２１にて上下に 2つ割に形成された移動規制突部９２、９２と、移動規制突部９２、９２の裏面側（固定側メンバー１の基板１０側）で、ストッパー部１９よりやや大きい目の通過用間隙９３１を有して、固定側メンバー１の基板１０方向に突出する上下２つのストッパー当接部９３、９３と、上下案内突条９１０、９１０の後端部上下面に固定側メンバー１の上下折曲縁１１、１１方向に突出して、移動側メンバー３の上下折曲縁３１、３１の内方から、移動側メンバー３の後端部に形成された被保持部７を保持する保持部９４、９４が、合成樹脂材にて一体に形成されている。
【００２６】
尚、第２実施例の被保持部７、７は移動側メンバー３の上下折曲縁３１、３１の後端部
に嵌合孔を形成することにより構成され、第２実施例の保持部９４、９４は嵌合孔（被保持部７、７）に嵌合する外向きに突出する嵌合突部を形成する事により構成されている。  嵌合突部（保持部）９４、９４は、弾性用間隙９２１にて上下方向に適度に変移可能となし、先端部に案内傾斜面９４１が形成されている。
第２実施例は、上記の如く構成され、移動側メンバー３と中間メンバー２が固定側メンバー１に完全に収納された状態から（図１０に示す状態）、機器類を引き出すと（移動側メンバー３を前方に摺動させると）、第１実施例同様、移動側メンバー３の被保持部（嵌合孔）７、７はロック部材９の保持部（嵌合突部）９４、９４に保持されているので、中間メンバー２も移動側メンバー３と共に摺動し、やがて、ロック部材９の通過用間隙９３１がストッパー部１９を通過する。
【００２７】
同時に、中間メンバー２の上下折曲縁２１、２１の後端部に形成されたリテーナ後ストッパー２５、２５が、固定側メンバー１のリテーナ前ストッパー１６に当接したリテーナー１２の後端に当接して、中間メンバー２は固定側メンバー１に対し最大伸長状態となって停止する。
【００２８】
さらに、機器類を引き出すと（移動側メンバー３を前方に摺動させると）、移動側メンバー３の嵌合孔（被保持部）７、７が、ロック部材９の保持部（嵌合突部）９４、９４を、弾性用間隙９２１の作用にて内方に押しやりつつ前方に摺動し、移動側メンバー３に対するロック部材９の保持状態が解除される。  そして、移動側メンバー３の下折曲縁３１の後端縁（ロック解除部）３１１がロック部材９の前側に位置すると、ロック部材９は自重によって、後端部が下方に回動し、上側のストッパー当接部９３がストッパー部１９の前側に位置し、下側のストッパー当接部９３の下端が中間メンバー２のリテーナ後ストッパー２５の一部に当接してロック部材９の回動は停止する。
この状態で、中間メンバー２の後端部に設けられたロック部材９が、固定側メンバー１のストッパー部１９に当接し、リテーナ後ストッパー２５、２５の前端部が、固定側メンバー１のリテーナ前ストッパー１６に当接したリテーナー１２の後端に当接しているので、中間メンバー２は単独では摺動する事がなく、固定側メンバー１に対する最大伸長状態が維持される。
【００２９】
さらに、機器類が引き出されると（移動側メンバー３が前方に摺動すると）、移動側メンバー３に設けられた抜け止めストッパー部材が、前記案内部材５の係合突部に係合して停止し、移動側メンバー３は中間メンバー２に対し最大伸長状態となり、移動側メンバー３、及び中間メンバー２は最も引き出された状態で維持され、不測に摺動する事がない。  そして、抜け止めストッパー部材のストッパー状態を解除する事で、移動側メンバー３は中間メンバー２より抜き出し可能、あるいは、収納方向に摺動可能となる。
【００３０】
次に、抜け止めストッパー部材のストッパー状態を解除し、移動側メンバー３を中間メンバー２に対し、収納方向に摺動すると、中間メンバー２に移動側メンバー３がほぼ収納された状態で、移動側メンバー３の下折曲縁３１の後端縁（ロック解除部）３１１が、ロック部材９の取付脚部９１および下案内突条９１０の下面を上方に押しやって、ストッパー当接部９３を上方に移動させ、ロック部材９の通過用間隙９３１をストッパー部１９の前側に位置せしめる事で、中間メンバー２のロック状態を解除する。
この時、移動側メンバー３の摺動スピードに勢いがある場合は、ほぼ同時に、ロック部材９の保持部（嵌合突部）９４が移動側メンバー３の被保持部（嵌合孔）７に嵌合し、さらに、ストッパー凹部３５の後端面が移動側メンバー３の移動規制突部９２に当接して、中間メンバー２と共に摺動し、固定側メンバー１に収納される。（図１０に示す状態。）
【００３１】
一方、機器類が緩やかに収納されると（移動側メンバー３が緩やかに摺動すると）、移動側メンバー３の下折曲縁３１の後端縁（ロック解除部）３１１が、ロック部材９の取付脚部９１の下面を上方に押しやって、ストッパー当接部９３を上方に移動させ、ロック部材９の通過用間隙９３１をストッパー部１９の前側に位置せしめる事で、中間メンバー２のロック状態を解除し、中間メンバー２は移動側メンバー３と共に、ロック部材９の通過用間隙９３１がストッパー部１９を通過して、固定側メンバー１に収納されて、ロック部材９の後端面が固定側メンバー１の収納時ストッパー１５に当接して中間メンバー２の摺動は停止する。
【００３２】
次に、ロック部材９の保持部（嵌合突部）９４が移動側メンバー３の被保持部（嵌合孔）７に嵌合し、同時に移動側メンバー３の後端面が固定側メンバー１の収納時ストッパー１５に当接して停止し、移動側メンバー３は中間メンバー２に完全に収納され、中間メンバー２は固定側メンバー１に収納される。（図１０に示す状態）
【００３３】
尚、本発明のスライドレール１００を左右共用にするため、第１、第２実施例では保持部９４と被保持部７、及びストーッパー当接部９３、９３を上下に形成している。
又、保持部９４を移動側メンバー３の上折曲縁３１の外方あるいは内方から、被保持部（嵌合孔）７に嵌合する構成としているが、一方が凸部、他方が凹部とした構成でもよい。
すなわち、移動側メンバー３とロック部材９の被保持部７と保持部９４は互いに嵌合する被嵌合部と嵌合部であっても良い。
【００３４】
次に、第３実施例を図１２から図１５に基づいて説明する。
第３実施例のロック部材９は、図１２に示すように、中間メンバー２の基板２０の後端部で移動側メンバー３の基板３０側に回動自在に取り付ける為の取付孔９０が先端部に形成された、上下折曲縁３１、３１間よりやや小さめの上下幅を有し、上下端部に移動側メンバー３の基板３０方向に突出する上下案内突条９１０、９１０を有する取付脚部９１と、移動側メンバー３が中間メンバー２に収納された時、取付脚部９１の後端部に移動側メンバー３の基板３０方向に突出して移動側メンバー３のストッパー凹部３５の後端面が当接し、移動側メンバー３と共に、中間メンバー２を固定側メンバー１の収納方向に移動させる移動規制突部９２と、移動規制突部９２の裏面側（固定側メンバー１の基板１０側）で、ストッパー部１９よりやや大きい目の通過用間隙９３１を有して、固定側メンバー１の基板１０方向に突出する上下２つのストッパー当接部９３、９３と、取付脚部９１の上下案内突条９１０、９１０間を、移動側メンバー３の基板３０側にストッパー凹部３５と逆向きの弓形に、突出せしめた弾性係合部（保持部）９４が、合成樹脂材にて一体に形成されている。  そして、弾性係合部（保持部）９４に対応する移動側メンバー３の被保持部はストッパー凹部３５が被係合部として兼用されている。
【００３５】
第３実施例は、上記の如く構成され、移動側メンバー３と中間メンバー２が固定側メンバー１に完全に収納された状態から（図１３、図１５に示す状態）、機器類を引き出すと（移動側メンバー３を前方に摺動させると）、移動側メンバー３の被保持部（ストッパー凹部３５、被係合部）７はロック部材９の保持部（弾性係合部）９４の後方に係合しているので、中間メンバー２も移動側メンバー３と共に摺動し、やがて、ロック部材９の通過用間隙９３１がストッパー部１９を通過する。
同時に、中間メンバー２の上下折曲縁２１、２１の後端部に形成されたリテーナ後ストッパー２５、２５が、固定側メンバー１のリテーナ前ストッパー１６に当接したリテーナー１２の後端に当接して、中間メンバー２は固定側メンバー１に対し最大伸長状態となって停止する。
【００３６】
さらに、機器類を引き出すと（移動側メンバー３を前方に摺動させると）、移動側メンバー３の被保持部（ストッパー凹部３５、被係合部）７、が、ロック部材９の保持部（弾性係合部）９４を、弾性に抗して、中間メンバー２の基板２０側に押しやりつつ前方に摺動し、ロック部材９に対する移動側メンバー３の保持状態（係合状態）が解除される。
そして、移動側メンバー３の下折曲縁３１の後端縁（ロック解除部）３１１がロック部材９の前側に位置すると、ロック部材９は自重によって、後端部が下方に回動し、上側のストッパー当接部９３がストッパー部１９の前側に位置し、下側のストッパー当接部９３が中間メンバー２のリテーナ後ストッパー２５の一部に当接してロック部材９の回動は停止する。
この状態で、中間メンバー２の後端部に設けられたロック部材９の上側のストッパー当接部９３が、固定側メンバー１のストッパー部１９に当接し、リテーナ後ストッパー２５、２５が、固定側メンバー１のリテーナ前ストッパー１６に当接したリテーナー１２の後端に当接しているので、中間メンバー２は単独では摺動する事がなく、固定側メンバー１に対する最大伸長状態が維持される。
【００３７】
さらに、移動側メンバー３が前方に摺動すると、移動側メンバー３に設けられた抜け止めストッパー部材が、前記案内部材５の係合突部に係合して停止し、中間メンバー２に対し最大伸長状態となり、移動側メンバー３、及び中間メンバー２は最も引き出された状態が維持され、不測に摺動する事がない。
そして、抜け止めストッパー部材のストッパー状態を解除する事で、移動側メンバー３は中間メンバー２より抜き出し可能、あるいは、収納方向に摺動可能となる。
【００３８】
次に、抜け止めストッパー部材のストッパー状態を解除し、移動側メンバー３を中間メンバー２に対し、収納方向に摺動させていくと、中間メンバー２に移動側メンバー３がほぼ収納された状態で、移動側メンバー３の下折曲縁３１の後端縁（ロック解除部）３１１が、ロック部材９の取付脚部９１および下案内突条９１０の下面を上方に押しやって、ストッパー当接部９３を上方に移動させ、ロック部材９の通過用間隙９３１をストッパー部１９の前側に位置せしめる事で、中間メンバー２のロック状態を解除する。  この時、移動側メンバー３の摺動スピードに勢いがある場合は、ほぼ同時に、ロック部材９の保持部（弾性係合部）９４を移動側メンバー３の被保持部（ストッパー凹部３５、被係合部）７が弾性に抗して乗り越えて後方に係合し、さらに、ストッパー凹部３５（被保持部、被係合部７）の後端面が移動側メンバー３の移動規制突部９２に当接して、中間メンバー２を共に摺動させ、ロック部材９の後端面が固定側メンバー１の収納時ストッパー１５に当接し、中間メンバー２は移動側メンバー１と共に固定側メンバー１に収納される。（図１３に示す状態。）
【００３９】
一方、機器類が緩やかに収納されると（移動側メンバー３が緩やかに摺動すると）、移動側メンバー３の下折曲縁３１の後端縁（ロック解除部）３１１が、ロック部材９の取付脚部９１の下面を上方に押しやって、ストッパー当接部９３を上方に移動させ、ロック部材９の通過用間隙９３１をストッパー部１９の前側に位置せしめる事で、中間メンバー２のロック状態を解除した状態で、移動側メンバー３の被保持部（ストッパー凹部３５、被係合部）７の後面が、ロック部材９の保持部（弾性係合部）９４に当接し、中間メンバー２は移動側メンバー３と共に摺動し、ロック部材９の通過用間隙９３１がストッパー部１９を通過して、固定側メンバー１に収納されて、やがて、ロック部材９の後端面が固定側メンバー１の収納時ストッパー１５に当接し中間メンバー２の摺動は停止する。
【００４０】
次に、ロック部材９の保持部（弾性係合部）９４を移動側メンバー３の被保持部（ストッパー凹部３５、被係合部）７が弾性に抗して乗り越えて後方に係合し、同時にストッパー凹部３５（被保持部、被係合部７）の後端面がロック部材９の移動規制突部９２に当接して、移動側メンバー３は中間メンバー２に完全に収納され、中間メンバー２は固定側メンバー１に収納される。（図１３に示す状態。）
【００４１】
【発明の効果】
請求項１に記載の発明によれば、ロック部材に、取付脚部と移動規制突部と通過用間隙とストッパー当接部と保持部を合成樹脂材にて一体に形成しているので、部材点数が少なく、構造が簡単で、故障が少なく、取付も容易で、安価に製作出来る。
【００４３】
請求項２に記載の発明によれば、前記効果に加え、被保持部を嵌合孔となし、保持部を嵌合孔に嵌合する嵌合突部としているので、構造が簡単で安価に製造出来る。
【００４４】
請求項３に記載の発明によれば、上記効果に加え、被保持部は、移動側メンバーの基板の後端部に形成され、移動側メンバーが中間メンバーに収納収納された時、移動側突部に当接するストッパー凹部よりなり、保持部は、ストッパー凹部と逆向きの弓形に移動側メンバーの基板側に突出せしめた弾性係合部より構成されているので、ロック部材をコンパクトに成形でき、材料費のコストダウンが計れる。
【図面の簡単な説明】
【図１】      本発明の第１実施例のスライドレールの斜視図
【図２】      図１のＡ−Ａ線拡大断面図
【図３】      第１実施例のロック部材の斜視図
【図４】      第１実施例の中間メンバーのロック状態の正面図
【図５】      第１実施例の中間メンバーのロック解除状態の正面図
【図６】      第１実施例の移動側レールと中間レールが固定側レールに収納された状態
の要部断面図
【図７】      図６のＢ−Ｂ線要部断面図
【図８】      図７のＣ−Ｃ線要部断面図
【図９】      第２実施例のロック部材の斜視図
【図１０】      第２実施例の移動側レールと中間レールが固定側レールに収納された状態
の要部断面図
【図１１】      図１０のＤーＤ線要部断面図
【図１２】      第３実施例のロック部材の斜視図
【図１３】      第３実施例の移動側レールと中間レールが固定側レールに収納された状態
の要部断面図
【図１４】      図１３のＥーＥ線要部断面図
【図１５】      図１４のＦーＦ線要部断面図
【符号の説明】
１              固定側メンバー
１０            基板
１１            折曲縁
１９            ストッパー部
１００          スライドレール
２              中間メンバー
２０            基板
２１            折曲縁
３              移動側メンバー
３０            基板
３１            折曲縁
３１１          ロック解除部
３５            ストッパー凹部
７              被保持部（被嵌合部、嵌合孔、被係合部  ストッパー
凹部）
９              ロック部材
９３            ストッパー当接部
９４            保持部（嵌合部、嵌合突部、弾性係合部）
【図１】
0003914438.tif 000002
【図２】
0003914438.tif 000003
【図３】
0003914438.tif 000004
【図４】
0003914438.tif 000005
【図５】
0003914438.tif 000006
【図６】
0003914438.tif 000007
【図７】
0003914438.tif 000008
【図８】
0003914438.tif 000009
【図９】
0003914438.tif 000010
【図１０】
0003914438.tif 000011
【図１１】
0003914438.tif 000012
【図１２】
0003914438.tif 000013
【図１３】
0003914438.tif 000014
【図１４】
0003914438.tif 000015
【図１５】
0003914438.tif 000016